(57)【特許請求の範囲】
【請求項１】
縦長矩形状の開口部を有する第１収納凹部5aと、第１収納凹部5aと並設された短寸で縦長矩形状の開口部を有する第２収納凹部5bと、第１収納凹部5a内側上端に一端を連通して第２収納凹部5b上方に延設した細溝状の第１注出凹部6aと、第２収納凹部5b上端外側に一端を連通して上方に延びた後内方第１注出凹部6a上方に延設した細溝状の第２注出凹部6bとを、平板状の基板４に凹設してなる合成樹脂製の本体２と、各収納凹部５及び各注出凹部６を密閉して基板４に固着した合成樹脂製の蓋板３とからなり、第１収納凹部5aと第２収納凹部5bとの間の基板４を通り且つ各第１注出凹部6aと第２注出凹部6bとをそれぞれ分割縦断して本体２を縦断した分離破断線７を設けてなることを特徴とする簡易ペア容器。
【発明の詳細な説明】
【０００１】
【発明の属する技術分野】
本発明は簡易ペア容器に関する。
【０００２】
【従来の技術】
食品に付帯させてそのタレ，調味料，香辛料等を収納する簡易容器が知られている。これらは、例えば２枚のシート周辺を融着等の方法で密閉した袋状のもので、縁部にノッチを設け、この部分から破断開封して使用する。これらの簡易容器を収納する収納物として、２種類のものを必要とするものが有り、例えば、納豆に付帯させるためのタレとカラシとの組み合わせ等があるが、これらは各々別々の簡易容器に収納して本体に付帯させたり、或いは一対の簡易容器をミシン目等の破断線を介して一体に形成したものに収納して本体に付帯させたりしている。
【０００３】
【発明が解決しようとする課題】
従来のこの種の容器では、ノッチ部分から容器を切断して開封するが、ノッチはその性質上一般に端部近傍に設けられるため、特に小容器の場合には充分に掴む幅をとりにくく、切断し難い。また、手が濡れている場合等充分に袋を力を入れて掴むことが出来ずに切断がママならないという不都合があった。また、ノッチから意図しない方向へ袋が破けたりする不都合を生じる場合もある。更に、小容器の場合は、開封すると上端部が容器の幅分だけ除去されるため大きな開口となり、目的部位への注出が定め難いという欠点があり、また、斜め方向に切断させる如きノッチを設けた場合には、上記した如き意図しない方向に切断されて殆ど開口しない等の不都合を生じる場合もある。
【０００４】
本発明は上記した点に鑑みなされたもので、２種類の収納物を一遍に収納することができるとともに、使用時には簡単にしかも確実に開封でき、開口した注出口も適した大きさに形成することができるとともに、収納物の注出も容易且つ確実に行え、更に、構造も簡単で容易に製造できる優れた簡易ペア容器を提案するものである。
【０００５】
【課題を解決するための手段】
第１の手段として、以下の通り構成した。平板状の基板４に一対の収納凹部５を凹設するとともに、各収納凹部５にそれぞれ一端を連通する細溝状の一対の注出凹部６をそれぞれ凹設してなる合成樹脂製の本体２と、各収納凹部５及び各注出凹部６を密閉して基板４に固着した合成樹脂製の蓋板３とからなり、各収納凹部５間の基板４を通り且つ各注出凹部６をそれぞれ分割縦断して本体２を縦断した分離破断線７を設けた。
【０００６】
第２の手段として、以下の通り構成した。即ち、前記第１の手段に於いて、上記各収納凹部５が、縦長矩形状の開口部を有する第１収納凹部5aと、第１収納凹部5aと並設された短寸で縦長矩形状の開口部を有する第２収納凹部5bであり、上記各注出凹部６が、第１収納凹部5a内側上端より第２収納凹部5b上方に延設した第１注出凹部6aと、第２収納凹部5b上端外側より上方に延びた後内方第１注出凹部6a上方に延設した第２注出凹部6bである。
【０００７】
第３の手段として、以下の通り構成した。即ち、平板状の基板４左右に一対の収納凹部５を凹設するとともに、各収納凹部５上端部とそれぞれ一端を連通する一対の細溝状をなす注出凹部６を、中央部に切取部形成用のスペースｄをあけて凹設してなる合成樹脂製の本体２と、各収納凹部５及び注出凹部６を密閉して基板４前面に固着した合成樹脂製の蓋板３とからなり、上記スペースｄ部分を貫通して下向き半環状の切溝10を設けるとともに、該切溝10の両端部よりそれぞれ上方へ、各注出凹部６をそれぞれ分割縦断して基板４上辺に至る一対の分離破断線７を設け、切溝10と各分離破断線７により画成された切取部11下方の各収納凹部５間に折り返し線12を設けた。
【０００８】
【発明の実施の形態】
以下、本発明の実施例の形態を図面を参照して説明する。
【０００９】
図１乃至図３は第１の手段の一実施例を示し、図中１は簡易ぺア容器を示す。該容器１は、本体２と、蓋板３とを備えている。
【００１０】
本体２は合成樹脂製で、平板状の基板４に一対の収納凹部５，５を凹設するとともに、各収納凹部５にそれぞれ一端を連通する細溝状の一対の注出凹部６，６を凹設したものである。
【００１１】
本実施例では、開口部が縦長矩形状をなす第１収納凹部5aと、第１収納凹部5aと並設された短寸の開口部が縦長矩形状をなす第２収納凹部5bとを備え、また、第１収納凹部5a内側上端より第２収納凹部上方に第１注出凹部6aを延設している。更に、第２収納凹部5b上端外側より上方に延びた後内方第１注出凹部6a上方に第２注出凹部6bを延設している。また、各収納凹部及び注出凹部部分を薄肉に形成して、容易な圧搾が可能に構成しており、内容物の注出の際より容易に行える如く構成している。
【００１２】
蓋板３は、合成樹脂フィルムの単独或いは積層体或いは合成樹脂フィルムと金属薄膜との積層フィルム等により形成されたもので、各凹部を密閉して基板４に固着している。固着方法としては、融着，接着等種々の方法を採用できる。また、収納物の種類，用途等によりその材質を選択するとともに、透明，不透明を選択すると良い。特に後述する分離破断線に於ける切断を行うため、一軸延伸フィルムを好ましく採用できる。
【００１３】
また、本発明の容器は、各収納凹部間の基板を通り且つ各注出凹部をそれぞれ分割縦断して本体を縦断する分離破断線７を設けている。分離破断線７の具体的な形態は種々選択できるが、主として本体２に形成する薄肉線状のものが用いられる。注出凹部に掛からない部分ではミシン目等を併用しても良い。また、薄肉線を設ける場合も、前面に合成樹脂製の蓋板３を固着する関係で、後面が凹む如き形態の薄肉線状の分離破断線７を設けると良い。尚、本実施例では基板４下辺中央にノッチ８を形成している。
【００１４】
上記の如く構成した容器は、例えば、本体２の各収納凹部内にそれぞれ収納物を充填した後、蓋板３を固着して図１の状態の如く形成できる。次いで、図２に示す如く、ノッチ８部分より分離破断線７を破断して図３に示す如く二分割し、それぞれの注出凹部部分に注出口９を開口する。次いで分割した各容器を傾け、要すれば収納凹部部分を押圧して内容物を注出することができる。
【００１５】
図４乃至図６は第３の手段の１実施例を示すもので、本実施例の簡易ペア容器１も、本体２と、蓋板３とを備えている。
【００１６】
本発明に於ける本体２も合成樹脂製で、平板状の基板４左右に一対の収納凹部５，５を凹設するとともに、各収納凹部上端部とそれぞれ一端を連通する一対の細溝状をなす注出凹部６，６を、中央部に切取部形成用のスペースｄをあけて凹設している。
【００１７】
本実施例では右側に開口部が縦長矩形状をなす第１収納凹部5aを凹設し、左側に同様の第２収納凹部5bを凹設しており、両者は左右対称形をなしている。また、各収納凹部上端より、それぞれ内側縁を外方へ傾斜させて細幅とした異形五角形状をなす下部と、細幅の下部上端より内方へ傾斜させた細幅の上部とで構成した第１注出凹部6a及び第２注出凹部6bをそれぞれ凹設しており、中央部に略８角形状のスペースｄを設けている。各注出凹部の形態は各収納凹部よりそれぞれ上方に延設した細溝状で、中央部にスペースを形成できる形態であれば種々採用でき、例えば、上方にそれぞれ平行に延設した形態のものであっても良い。また、スペースの形状はこれに限られず、各注出凹部の形態に併せて選択できる。
【００１８】
また、蓋板３は上記実施例と同様に、各凹部を密閉して基板前面に固着した合成樹脂製のものを採用している。但し、後述する切溝部分は本体同様に切り欠いて蓋板３及び本体２を貫通する切溝として構成している。
【００１９】
また、本発明では上記スペース部分を貫通して下向き半環状の切溝10を設けるとともに、該切溝10の両端部よりそれぞれ上方へ、各注出凹部を各々分割縦断して基板４上辺に至る一対の分離破断線７を設け、切溝10と各分離破断線７により画成された切取部11下方の各収納凹部間に折り返し線12を設けている。折り返し線の形態も種々採用できるが、分離破断線同様の薄肉線状のものが好ましく採用できる。但し、この場合は薄肉部分の厚さを、当然のことながら切断しない程度のものを選択する。本実施例では、各注出凹部６が内方へ傾斜しているため、各分離破断線７は略垂直方向に形成しているが、各注出凹部が垂直方向に形成されている場合には、各分離破断線を上方へ広がる如く傾斜させて形成すれば良い。
【００２０】
本実施例の場合は、図５に示す如く、例えば、切溝10部分の切取部11を掴んで引き起こし各分離破断線７を破断して各注出凹部６部分に注出口９を開口し、次いで折り返し線12部分で折り曲げて、図６に示す如く、各収納物を同時に注出することができる。
【００２１】
【発明の効果】
以上説明した如く本発明の簡易ペア容器は、既述構成としたことにより、２種類の収納物を一遍に収納することができるとともに、使用時には分離破断線部分を切断すれば簡単に開封することができ、しかも切断部分が意図しない方向へ曲がったりする等の不都合がなく確実に開封できるものである。また、注出凹部の分離破断線部分の大きさを選択すれば、開口する注出口を収納物の性質，用途等により適した大きさに形成することができるとともに、収納物の注出も容易且つ確実に行え、更に、構造も簡単で容易に製造できる利点も備えている。
【００２２】
また、第２の手段の容器では、各凹部が効率良く配置されていて無駄なく形成できる利点を兼ね備えている。
【００２３】
また、第３の手段の容器では、上記第１の手段の容器と同様の効果を発揮するとともに、２種類の収納物を同時に且つ簡単に注出することができる利点を兼ね備えている。
【図面の簡単な説明】
【図１】一実施例を示す斜視図である。
【図２】同実施例の使用を説明する斜視図である。
【図３】同実施例の使用を説明する斜視図である。
【図４】他の実施例を示す斜視図である。
【図５】同実施例の使用を説明する斜視図である。
【図６】同実施例の使用を説明する斜視図である。
【図１】
0003995876.tif 000002
【図２】
0003995876.tif 000003
【図３】
0003995876.tif 000004
【図４】
0003995876.tif 000005
【図５】
0003995876.tif 000006
【図６】
0003995876.tif 000007